(57)【要約】      （修正有）【課題】経緯度定規に書かれた経緯度目盛りや升目ライン等に影響されることなく経緯度の読み易い地図の外縁部をふくめた地図全体の経緯度を容易に地図上にマーキングすることのできる経緯度定規を提供する。【解決手段】定規板４に読みしるし穴３を４箇所に設け、これら４つの読みしるし穴３の中心で形づくる矩形おいて、緯線間隔を有する向かい合う２辺の間を等間隔に分割する緯度目盛りを定規板中央に縦方向に設けて緯度を測る緯度スケール２とし、同様に経線間隔を有する向かい合う２辺の間を等間隔に分割する経度目盛を定規板中央に横方向に設けて経度を測る経度スケール１としている。【選択図】図１
0003150231.tif 000002
【実用新案登録請求の範囲】
【請求項１】
透明な定規板（４）に、使用する地図の経線と緯線とで囲まれた緯線間隔及び経線間隔を１辺とする矩形の４隅のそれぞれに丁度重なり合う中心を有する読みしるし穴（３）を４つ設け、緯線間隔を有する読みしるし穴（３）の中心と読みしるし穴（３）の中心との間に等間隔に分割された緯度目盛りを設けて緯度を測る緯度スケール（２）とし、経線間隔を有する読みしるし穴（３）と読みしるし穴（３）との間に等間隔に分割された経度目盛りを設けて経度を測る経度スケール（１）とした、経緯度定規。
【請求項２】
経度スケール（１）において、北半球では上から下に向かって順次大きくなる読み数字（５）を添え、南半球では下から上に向かって順次大きくなる読み数字を（５）を添え、緯度スケール（２）において、東半球では右から左に向かって順次大きくなる読み数字（５）を添え、西半球では左から右に向かって順次大きくなる読み数字（５）を添えたことを特徴とする、請求項１に記載の経緯度定規。
【請求項３】
透明な定規板（４）に、使用する地図の経線と緯線とで囲まれた緯線間隔及び経線間隔を１辺とする矩形の４隅のそれぞれに丁度重なり合う中心を有する読みしるし穴（３）を４つ設け、定規板（４）のこれら４つの読みしるし穴（３）の中心で形づくる矩形おいて、緯線間隔を有する向かい合う２辺の間を等間隔に分割する緯度目盛りを定規板に設けて緯度を測る緯度スケール（２）とし、同様に経線間隔を有する向かい合う２辺の間を等間隔に分割する経度目盛を定規板（４）に設けて経度を測る経度スケール（１）とした、経緯度定規。
【請求項４】
経度スケール（１）には、北半球では上から下に向かって順次大きくなる読み数字（５）を添え、南半球では下から上に向かって順次大きくなる読み数字を（５）を添え、緯度スケール（２）には、東半球では右から左に向かって順次大きくなる読み数字（５）を添え、西半球では左から右に向かって順次大きくなる読み数字（５）を添えたことを特徴とする、請求項３に記載の経緯度定規。
【考案の詳細な説明】
【技術分野】
【０００１】
本考案は、地図に記載されている緯線・経線を使用して地図上の任意の位置の経緯度を読みとったり、GPS等で得られた経緯度を地図上にマーキングしたりするときに使用する経緯度定規に関するものである。
【背景技術】
【０００２】
これまでは、地図上の任意の位置の経緯度を読んだり、ＧＰＳ等で得た経緯度を地図上にマーキングしたりするときに使用する経緯度用定規として図３に示すようなものを使用していた（特許文献１参照）。北緯３５度〜36度で使用する25000分の一の地形図用経緯度定規を例に説明する。すなわち、長方形の透明樹脂製シートには、地図の経線と緯線とで囲まれた矩形と同寸法の升目が設けられている。また地図には１分間隔で経線・緯線がそれぞれ設けられている。升目の直角を成す2辺のうちの長辺には１分を６０等分した1秒間隔の経度目盛りを設け、短辺にも１分を６０等分した1秒間隔の緯度目盛りを設け、更に10秒間隔で格子状に縦線及び横線も設けている。又、目盛りを設けた長辺と短辺とが交差する升目の角にはボールペン等で地図上にマーキングできる小穴が設けられている。そして、小穴から下方及び左に向かって10秒刻みに大きくなる数字が経緯度目盛りそって設けられている。
【０００３】
このものは次のように使用する。まず、地図上の任意の位置の経緯度を読み取る場合は次のように使用する。まず、定規に設けた升目の角を１分間隔の緯線と経線が設けられた地図上の任意の位置に当てる。このとき、定規の経緯度を目盛った辺が地図の緯線及び経線に平行となるようにして当てる。そして、定規の緯度目盛り及び経度目盛りが地図の緯線および経線と交差する目盛りを読み、任意の位置の経緯度を得る。次にＧＰＳ等で得た経緯度を地図上に落とし込む場合は、定規の経緯度を目盛った辺が経線及び緯線と平行なるようにして、経度及び緯度を示す定規上の目盛りを地図の経線及び緯線にあてがい定規に設けた小穴にボールペン等のペン先を差込み地図上にマーキングし、地図上の位置を知る。
【先行技術文献】
【特許文献】
【０００４】
【特許文献１】実用新案登録第３０６６１２４号公報
【考案の概要】
【考案が解決しようとする課題】
【０００５】
従来のこの経緯度用定規は、定規による測定及び比例計算等の繁雑なプロセスを必要としない便利なものであるが、次のような欠点を持っていた。先ず、定規の升目には経緯度目盛りが描かれているため、定規の升目の角に設けた小穴で地図上の位置を読むときに、緯度目盛り、経度目盛り及び升目ラインが地図上の設けた色々な線と重なり合って読みづらかった。そして、等高線のいりこんだ山岳地においては特に読みづらかった。また、目盛りで経緯度定規の升目上には一つの小穴しか設けていないため、地図の南側及び西側の外縁部において経緯度を地図上にマーキングすることは非常に面倒なことであった。何故ならば、地図の南側及び西側の外縁部においては、地図の経線と緯線に交差して経緯度を読み取る定規の緯線目盛りと経線目盛りのどちらか一方又は両方が緯線及び経線と交差しないためである。そのため、地図の南側及び西側の外縁部において、経緯度を地図上にマーキングするためには定規を逆さまにしたり裏返しにしたりする等の特別の操作が必要であった。経緯度目を読み易くするために設けた数字も逆さまになったりして非常に読みづらいものとなってしまった。
【０００６】
本考案が解決しようとする課題は、定規に書かれた経緯度目盛りや升目ライン等に影響されることなく経緯度の読み易い経緯度定規を提供することである。また、地図の外縁部をふくめた地図全体の経緯度を容易に地図上にマーキングすることのできる経緯度スケールを提供することである。
【課題を解決するための手段】
【０００７】
本考案の考案者は、前記の課題を解決するにはどのようにすればよいかとあれこれ考え本考案を完成させることができた。本発明に係る経緯度定規は、その課題を解決したものであって次のようなものである。
【０００８】
すなわち、請求項１に係る経緯度定規は、透明な定規板（４）に、使用する地図の経線と緯線とで囲まれた緯線間隔及び経線間隔を１辺とする矩形の４隅のそれぞれに丁度重なり合う中心を有する読みしるし穴（３）を４つ設け、緯線間隔を有する読みしるし穴（３）の中心と読みしるし穴（３）の中心との間に等間隔に分割された緯度目盛りを設けて緯度を測る緯度スケール（２）とし、経線間隔を有する読みしるし穴（３）と読みしるし穴（３）との間に等間隔に分割された経度目盛りを設けて経度を測る経度スケール（１）としたものである。
【０００９】
請求項２に係る経緯度定規は、請求項１に係る経緯度定規の目盛りに数字を添えたもので、経度スケール（１）において、北半球使用する定規には上から下に向かって順次大きくなる読み数字（５）を添え、南半球で使用する定規には下から上に向かって順次大きくなる読み数字を（５）を添えたものである。また緯度スケール（２）において、東半球で使用する定規には右から左に向かって順次大きくなる読み数字（５）を添え、西半球で使用する定規には左から右に向かって順次大きくなる読み数字（５）を添えたものである。
【００１０】
請求項３に係る経緯度定規は、透明な定規板（４）に、使用する地図の経線と緯線とで囲まれた緯線間隔及び経線間隔を１辺とする矩形の４隅のそれぞれに丁度重なり合う中心を有する読みしるし穴（３）を４つ設け、定規板（４）のこれら４つの読みしるし穴（３）の中心で形づくる矩形おいて、緯線間隔を有する向かい合う２辺の間を等間隔に分割する緯度目盛りを定規板に設けて緯度を測る緯度スケール（２）とし、同様に経線間隔を有する向かい合う２辺の間を等間隔に分割する経度目盛を定規板（４）に設けて経度を測る経度スケール（１）としたものである。なお、このものにおける緯度スケール（２）及び経度スケール（１）の位置は、中央に限られたものでなく４つの読みしるし穴（３）で囲まれる範囲の何処にでも設けられる。
【００１１】
請求項４に係る経緯度定規は、請求項３に係る経緯度定規の目盛りに数字を添えたもので、経度スケール（１）には、北半球使用する定規には上から下に向かって順次大きくなる読み数字（５）を添え、南半球使用する定規では下から上に向かって順次大きくなる読み数字を（５）を添えたものである。また緯度スケール（２）には、東半球使用する定規には右から左に向かって順次大きくなる読み数字（５）を添え、西半球で使用する定規には左から右に向かって順次大きくなる読み数字（５）を添えたものである。
【考案の効果】
【００１２】
本考案に係る経緯度定規は、定規に書かれた経緯度目盛りや升目ライン等に影響されることなく正確かつ容易に経緯度の読みとれる。また、地図の外縁部をふくめた地図全体の経緯度を容易に地図上にマーキングすることができる。
【図面の簡単な説明】
【００１３】
【図１】考案を実施するための最良の形態を示す平面図である。
【図２】実施例１を示す平面図である。
【図３】従来技術を示す平面図である。
【考案を実施するための形態】
【００１４】
本考案を実施するための最良の形態を図１に基づいて説明する。図１は、北緯３５度付近の２５０００分の１地形図で使用する経緯度定規の平面図である。このものは、長方形の透明な樹脂製の定規板（４）に、４つの小さな読みしるし穴（３）を設け、４つの読みしるし穴（３）には、それぞれ十字形の細い目盛りを設けている。定規板（４）におけるこれらの４つの読みしるし穴（３）の中心位置は,１分間隔で地図上に引かれた経線と緯線とで形づくる経度の１分間隔を短辺とし、緯度の１分間隔を長辺とした長方形の４隅と丁度重なり合うものといている。これら４つの読みしるし穴（３）の中心で形づくる矩形おいて、緯線間隔を有する向かい合う２辺の間を６０等分する緯度目盛りを定規板中央に縦方向に設け、緯度を測る緯度スケール（２）としている。更に、上からしたに向かって大きくなる読み数字（５）も一緒に設けている。また、経線間隔を有する向かい合う２辺の間を同じく６０等分する経度目盛を定規板中央に横方向に設け、経度を測る経度スケール（１）としている。更に、左から右に向かって大きくなる読み数字（５）も一緒に設けている。また、４つの読みしるし穴（３）の内側には、定規を経線及び緯線に沿わせ易いようするガイドライン（７）を格子状に設けている。
【００１５】
このものは次のように使用する。まず、地図上の任意の位置の経緯度を読み取る場合は定規に設けた読みしるし穴（３）を１分間隔の緯線と経線が設けられた地図上の任意の位置に当てる。このとき、定規の経度スケール（１）及び緯度スケール（２）が経線及び緯線と平行なるようにガイドライン（７）を利用する。そして、定規の緯度目盛り及び経度目盛りが地図の緯線および経線と交差する目盛りを読み、任意の位置の経緯度を得る。
【００１６】
次にＧＰＳ等で得た経緯度を地図上に落とし込む場合は、定規の経度スケール（１）及び緯度スケール（２）が経線及び緯線と平行なるようにして、経度及び緯度を示す定規上の目盛りを地図の経線及び緯線にあてがい定規に設けた読みしるし穴（３）にボールペン等のペン先を差込み地図上にマーキングし、地図上の位置を知る。このものにおいては、定規の四隅の４箇所に設けた読みしるし穴（３）周りに、経緯度目盛りや線が存在しないため  地図が良く見えて地図上の一読みが正確かつ容易である。また読みしるし穴（３）
も４箇所設けてあるため、経緯度を地図上にマーキングする際に定規を逆さまにしたり、裏返しにしたりする面倒な操作は必要なく実に簡単である。
【実施例１】
【００１７】
実施例１を図２に基づいて説明する。図２は、北緯３５度付近の２５０００分の１地形図で使用する経緯度定規の平面図である。長方形の透明な樹脂製の定規板（４）に４つの小さな読みしるし穴（３）を設けている。定規板（４）におけるこれらの４つの読みしるし穴（３）の中心位置は,  １分間隔で地図上に引かれた経線と緯線とで形づくる経度の１分間隔を短辺とし、緯度の１分間隔を長辺とした長方形の４隅と丁度重なり合うものといている。上方の短辺を、経度１分を６０等分する目盛りを設けた緯度スケール（１）としている。更に、左から右に向かって大きくなる読み数字（５）も一緒に設けている。また、右側の長辺を、緯度１分を６０等分する目盛りを設けた経度スケール（２）としている。更に、上から下に向かって大きくなる読み数字（５）も一緒に設けている。そして、４つの読みしるし穴（３）の内側には、定規を経線及び緯線に沿わせ易いようするガイドライン（７）を格子状に設けている。
【００１８】
このものは次のように使用する。まず、地図上の任意の位置の経緯度を読み取る場合は次のように使用する。まず、定規に設けた読みしるし穴（３）を１分間隔の緯線と経線が設けられた地図上の任意の位置に当てる。このとき、定規の経度スケール（１）及び緯度スケール（２）が経線及び緯線と平行なるようにして当てる。そして、定規の緯度目盛り及び経度目盛りが地図の緯線および経線と交差する目盛りを読み、任意の位置の経緯度を得る。    
【００１９】
次にＧＰＳ等で得た経緯度を地図上に落とし込む場合は、定規の経度スケール（１）及び緯度スケール（２）が経線及び緯線と平行なるようにして、経度及び緯度を示す定規上の目盛りを地図の経線及び緯線にあてがい定規に設けた読みしるし穴（３）にボールペン等のペン先を差込み地図上にマーキングし、地図上の位置を知る。このものにおいては、読みしるし穴（３）を４箇所設けてあるため定規を逆さまにしたり、裏返しにしたりすることなく簡単に操作できる。
【符号の説明】
【００２０】
１  経度スケール
２  緯度スケール
３  読みしるし穴
４  定規板
５  読み数字
７  ガイドライン
【図１】
0003150231.tif 000003
【図２】
0003150231.tif 000004
【図３】
0003150231.tif 000005